(57)【要約】【課題】簡単な構造であるにも拘らず堅牢な梁構造により、生産コストの問題を解消することのできる。【解決手段】地盤の沈下に追従して沈下する基礎１上に柱脚２の下端が取り付けられた建物であって、基礎１に油圧ジャッキ１１を設置するための高さ空間９を設けて柱脚２を連結する梁部材３を備えており、この梁部材３と柱脚２との隅角部の下方側に脚部補剛部材６を設け、更に、梁部材３に少なくとも１つの補強リブ７を設けており、この補強リブ７の下方を、梁部材３をジャッキアップする際のジャッキの支持点とする。【選択図】図１
2005120771.tif 000002
【特許請求の範囲】
【請求項１】
地盤の沈下に追従して沈下する基礎（１）上に柱脚（２）の下端が取り付けられた建物であって、前記基礎（１）に油圧ジャッキ（１１）を設置するための高さ空間（９）を設けて前記柱脚を連結する梁部材（３）を備えており、この梁部材と柱脚との隅角部の下方側に脚部補剛部材（６）を設け、更に、前記梁部材に少なくとも１つの補強リブ（７）を設けており、この補強リブの下方を、前記梁部材をジャッキアップする際のジャッキの支持点とすることを特徴とするレベル調整用建物構造。
【請求項２】
前記柱脚（２）の下端にベースプレート（５）を設け、前記柱脚をこのベースプレートを介して前記基礎（１）に植設したアンカーボルト（４）に連結していることを特徴とする請求項１に記載のレベル調整用建物構造。
【請求項３】
前記梁部材上に床面スラブを設け、この床面スラブに作業者が前記高さ空間内を出入するための点検口（８）を設けたことを特徴とする請求項１又は２に記載のレベル調整用建物構造。
【請求項４】
地盤の沈下に追従して沈下する基礎（１）上に柱脚（２）の下端が取り付けられた建物であって、前記基礎（１）から所定の高さ空間（９）を設けて前記柱脚を連結する梁部材（３）を備え、この梁部材と柱脚との隅角部の下方側に脚部補剛部材（６）を設け、更に、前記梁部材に少なくとも一つの補強リブ（７）を設けた建物の構造において、地盤沈下の際、前記高さ空間（９）に油圧ジャッキ（１１）を設置し、この油圧ジャッキ（１１）を前記補強リブ（７）の下方に配置し、この油圧ジャッキを用いて前記梁部材（３）をジャッキアップして、前記建物のレベルを水平状態に保持した後、前記基礎と柱脚との空間（１２）をグラウトコンクリート（１３）で充填することを特徴とする建物のレベル調整方法。
【発明の詳細な説明】
【技術分野】
【０００１】
本発明は、不同沈下によって建物が傾いた際、レベルを調整するための建物の構造、及び不同沈下によって傾いた建物のレベル調整方法に関する。
【背景技術】
【０００２】
周知の通り、軟弱地盤上に建物を設置する際、基礎として杭を打設して、この杭によって建物を支持する。しかし、軟弱地盤内に埋蔵分化財があり杭を打設することができない場合や、杭だけでは所定の支持力を得ることができない場合などには、軟弱地盤上に基礎スラブを設置し、この基礎スラブの上に建物を構築する。
【０００３】
この種の建物は、地盤が沈下した場合、例えば特許文献１の工法によって、建物のレベルを調整する。即ち、先ず、基礎スラブ３１の上面をはつり、基礎スラブ３１と梁３２との間に油圧ジャッキが設置できる程度の空間３３を形成する（図５のＡ参照）。そして、この空間３３に油圧ジャッキ３４を設置し（図５のＢ参照）、梁３２をジャッキアップすることにより、建物を水平状態にし、基礎スラブ３１と梁３２との間に金属板３６などの支持材を設置して、アンカーボルト３５を継ぎ足す（図５のＣ参照）。その後、これらの間にコンクリート３７などを打設して、建物の水平状態を保持する（図５のＤ参照）。
【０００４】
しかし、この工法によれば、基礎スラブをはつったり、基礎スラブと梁とを連結するアンカーボルトを継ぎ足すなど施工が煩雑になったり、基礎スラブと梁との間隔が狭い所ではコンクリートの打設が困難であるなどの問題がある。これらの問題を解決するため、例えば特許文献２に示すような種々の方法が提供されている。
【０００５】
この方法によれば、基礎スラブに柱脚を設置し、隣接する柱脚に梁を設置するが、基礎スラブと梁との間に所定の空間を設ける。そして、基礎スラブが沈下した際、前記の空間に油圧ジャッキを設置し、梁をジャッキアップすることによって建物全体のレベルを調整する。
【０００６】
しかし、この方法でも問題がある。即ち、梁にジャッキを直接当接するため、ジャッキによって梁に負荷される応力が大きいので、この応力に耐え得るよう、梁の材料を大きくする必要がある。そのため、梁の材料コストが高くなり、建物全体としての生産コストが増加するという問題もある。
【特許文献１】特開平５−１０６２３３号公報
【特許文献２】特開２００１−２２７０００号公報
【発明の開示】
【発明が解決しようとする課題】
【０００７】
そこで、本発明は、簡単な構造であるにも拘らず堅牢な梁構造により、生産コストの問題を解消することのできる建物及び建物のレベル調整方法を提供する。
【課題を解決するための手段】
【０００８】
本発明に係るレベル調整用の建物構造は、地盤の沈下に追従して沈下する基礎上に柱脚の下端が取り付けられた建物であって、基礎に油圧ジャッキを設置するための高さ空間を設けて柱脚を連結する梁部材を備えており、この梁部材と柱脚との隅角部の下方側に脚部補剛部材を設け、更に、梁部材に少なくとも１つの補強リブを設けており、この補強リブの下方を、梁部材をジャッキアップする際のジャッキの支持点とすることを特徴とする。
【０００９】
好ましくは、前記柱脚の下端にベースプレートを設け、柱脚をこのベースプレートを介して基礎に植設したアンカーボルトに連結していることを特徴とする。
【００１０】
更に好ましくは、前記梁部材上に床面スラブを設け、この床面スラブに作業者が前記高さ空間内を出入するための点検口を設けたことを特徴とする。
【００１１】
本発明に係る建物のレベル調整方法は、地盤の沈下に追従して沈下する基礎上に柱脚の下端が取り付けられた建物であって、基礎から所定の高さ空間を設けて柱脚を連結する梁部材を備え、この梁部材と柱脚との隅角部の下方側に脚部補剛部材を設け、更に、梁部材に少なくとも一つの補強リブを設けた建物の構造において、地盤沈下の際、高さ空間に油圧ジャッキを設置し、この油圧ジャッキを補強リブの下方に配置し、この油圧ジャッキを用いて梁部材をジャッキアップして、建物のレベルを水平状態に保持した後、基礎と柱脚との空間をグラウトコンクリートで充填することを特徴とする。
【発明の効果】
【００１２】
本発明によれば、基礎をはつったり、アンカーボルトを継ぎ足すなどの煩雑な施工が不要であるので、施工期間の短縮を図ることができ、それによって経済性を向上させることができる。又、梁部材の油圧ジャッキが押し上げる箇所に、耐力を増す工夫が施されているので、梁の材料コストを下げることができ、建物全体としてのコストを低廉にすることができる。
【発明を実施するための最良の形態】
【００１３】
以下、添付図面に基づいて、本発明の実施例について詳細に説明する。
【００１４】
図１は、本発明の建物について下部構造の一部を拡大して示す斜視図である。１は地盤の圧密沈下に追従して沈下する基礎スラブ等の基礎構造である。２は建物の柱脚であり、各柱脚２，・・・を梁部材３，・・・で連結している。この梁部材３は、断面Ｈ型の鋼材である。柱脚２を建て込む位置における基礎スラブ１には、柱脚２を基礎スラブ１に固定するためのアンカーボルト４，・・・が植設されており、柱脚２の下端に設けたベースプレート５に各アンカーボルト４を挿通し、アンカーボルト４に設けたねじ切りにナット１０を締め付けることにより、基礎スラブ１と柱脚２とを固着している。
【００１５】
梁部材３は、基礎スラブ１から所定の高さ空間９を設けて設置されており、この梁部材３の上に建物の床面スラブ（図示略）を形成する。高さ空間９は、基礎スラブ１に油圧ジャッキ１１（点線）を設置する際に、作業者が作業するためのものであって、約４０〜６０ｃｍの高さを有する。
【００１６】
更に、柱脚２と梁部材３との隅角部には、脚部補剛部材６が設けられている。この脚部補剛部材６は、柱脚２と梁部材３との連結部分等に生じる応力を減少させるための方づえ部材である。この脚部補剛部材６によって、柱脚２、梁部材３、及び脚部補剛部材６が一体化し、且つ梁部材３の支点間距離が短くなるので建物全体の強度が増すことになる。そして、脚部補剛部材６を取り付けた梁部材３には、補強リブ７が設けられている。この補強リブ７は、油圧ジャッキ１１が梁部材３を押し上げるジャッキアップの支持点、及びその附近に設けられており、ジャッキアップする際の梁部材３の破損や変形を防止するために、梁部材３を補強するものである。この脚部補剛部材６や補強リブ７は、ジャッキアップ時の補強だけではなく、常時の自重等によって生ずる応力に対する補強部材としても用いられる。
【００１７】
そして、二点鎖線で示す８は床面に設けた点検口であり、この点検口８は、油圧ジャッキ１１を基礎スラブ１に設置する際に、作業者が空間９に出入するためのものであって、ジャッキアップの支持点の附近に設けられている。この点検口８は常時では閉じられており床面の一部を形成しているが、建物のレベルを調整する際に、作業者がこの点検口８を開けて空間９に入り油圧ジャッキ１１の設置やジャッキアップ等の作業を行う。
【００１８】
図２は、本発明の建物において、不同沈下が生じた際のレベルを調整する方法についての説明図である。以下、図２に基づいて建物のレベルを調整する方法について説明する。不同沈下が生じた際、地盤の沈下に追従して基礎スラブ１が傾斜し、それに伴って柱脚２及び梁部材３が傾斜して建物全体が傾く。そして、この傾斜した建物を水平状態にするため、前記した点検口８を開けて作業者が空間９内に入り、基礎スラブ１に油圧ジャッキ１１を設置する。
【００１９】
その際、油圧ジャッキ１１のジャッキの支持点が、梁部材８の補強リブ７の下に位置するように設置する（図２のＡ参照）。そして、梁部材３が略水平状態になるまで油圧ジャッキ１１で梁部材３を押し上げ、建物全体を水平状態にする（図２のＢ参照）。それによって、柱脚２のベースプレート５と基礎スラブ１との間に空間１２が生じるので、この空間１２にグラウトコンクリート１３を充填する。そして、このグラウトコンクリート１３が硬化したことを確認した後、油圧ジャッキ１１を取り外すことにより、建物のジャッキアップが完了し、建物全体の初期の水平状態が保持される（図２のＣ参照）。
【００２０】
次に、図３に基づいて第２の実施例を説明する。この実施例は、軽量鉄骨製の柱部材を用いた本発明に係る建物を示す。１’は独立基礎であり、この独立基礎１’の下方は割栗石が敷設されていたり、表層地盤改良、柱状改良等がなされている。前記した実施例と同様に、柱脚２、梁部材３、脚部補剛部材６、及び補強リブ７等が基礎１’上に設けられているが、この実施例では、柱脚２が梁部材３の設置位置までの高さで、又運搬性を向上させるべく短尺の梁部材３を連結して構成されている。そして、柱脚２の上面に軽量鉄骨製の柱部材２０を固定し、梁部材３の上面に所定間隔毎に軽量鉄骨製の間柱部材２１を固定しており、柱部材２０・間柱部材２１間を鋼製ブレス２２で補強している。その後、複数の木製の大引き２３を各梁部材３間を架け渡すように平行に設置し、更にこの大引き２３に直交する複数の木製の根太２４を配置し、各根太２４上に床面を形成するためのパネル（図示略）を敷設する。
【００２１】
更に、木製の柱部材を用いる第３の実施例について、図４に基づいて説明する。この実施例は、前記の第２実施例と略同様であるが、以下の点で相違する。先ず梁部材３の上に平行する木製土台２５を設置し、更にこの土台２５上に木製の柱部材２０’及び間柱部材２１’を起立させる。梁部材３に所定間隔毎にボルト２６が植設され、更に土台２５にこのボルト２６に対応する固定孔２５ｂが設けられており、この固定孔２５ｂにボルト２６を挿通させて土台２５を梁部材３に固定する。又、柱部材２０’及び間柱部材２１’の下部にほぞ２０ａ，２１ａを設け、更に土台２５にこのほぞ２０ａ，２１ａに対応するほぞ穴２５ａを設けて、このほぞ２０ａ，２１ａとほぞ穴２５ａとを接合することにより土台２５に柱部材２０’・間柱部材２１’を固定して起立するよう構成されている。そして、第２実施例と同様に、大引き２３及び根太２４を配置して床面を形成する。
【図面の簡単な説明】
【００２２】
【図１】本発明の建物の下部構造を示す一部拡大斜視図。
【図２】不同沈下が生じた際のレベルを調整する方法を示す説明図。
【図３】本発明の第２実施例を示す説明図。
【図４】本発明の第３実施例を示す説明図。
【図５】レベルを調整する方法の従来例を示す説明図。
【符号の説明】
【００２３】
１  基礎
２  柱脚
３  梁部材
４  アンカーボルト
５  ベースプレート
６  脚部補剛部材
７  補強リブ
８  点検口
【図１】
2005120771.tif 000003
【図２】
2005120771.tif 000004
【図３】
2005120771.tif 000005
【図４】
2005120771.tif 000006
【図５】
2005120771.tif 000007